【手続補正書】
【提出日】平成18年1月26日(2006.1.26)
【手続補正１】
【補正対象書類名】明細書
【補正対象項目名】特許請求の範囲
【補正方法】変更
【補正の内容】
【特許請求の範囲】
【請求項１】  第１ビットストリームと第２ビットストリームとを切り換えるための方法であって、前記第２ビットストリームが前記第１ビットストリームよりも高速なデータ転送速度を備え、
前記第１ビットストリームと前記第２ビットストリームに関連するスイッチングアップ期間を識別するステップと、
前記第１ビットストリームから前記第２ビットストリームへのスイッチアップに関連する追加のデータを搬送するように構成される第３ビットストリームを前記スイッチングアップ期間中に確立するステップと、
前記スイッチングアップ期間中に、前記第１ビットストリームから前記第２ビットストリームにスイッチアップするステップとを含むことを特徴とする方法。
【請求項２】  前記第１ビットストリームが、ビデオシーケンス内の複数のフレームに関する第１符号化データを含み、該第１符号化データが、前記第１ビットストリームのベース層部分で少なくとも部分的に送られることを特徴とする請求項１に記載の方法。
【請求項３】  前記第１符号化データの部分がさらに、前記第１ビットストリームの拡張層部分で送られることを特徴とする請求項２に記載の方法。
【請求項４】  前記第１ビットストリームの前記拡張層部分で送られる前記第１符号化データの前記部分が、前記ベース層部分で送られる前記第１符号化データに関連する剰余データを含むことを特徴とする請求項３に記載の方法。
【請求項５】  前記剰余データが、前記ベース層部分で送られる前記第１符号化データに関連する離散コサイン変換（ＤＣＴ）係数および量子化解除ＤＣＴ係数に基づくことを特徴とする請求項４に記載の方法。
【請求項６】  前記第２ビットストリームが、前記ビデオシーケンス内の前記複数のフレームに関する第２符号化データを含み、前記第２符号化データが、前記第２ビットストリームのベース層部分で少なくとも部分的に送られることを特徴とする請求項２に記載の方法。
【請求項７】  前記第２符号化データの部分がさらに、前記第２ビットストリームの拡張層部分で送られることを特徴とする請求項６に記載の方法。
【請求項８】  前記第２ビットストリームの前記拡張層部分で送られる前記第２符号化データの前記部分が、前記ベース層部分で送られる前記第２符号化データに関連する剰余データを含むことを特徴とする請求項７に記載の方法。
【請求項９】  前記剰余データが、前記ベース層部分で送られる前記第２符号化データに関連する離散コサイン変換（ＤＣＴ）係数および量子化解除ＤＣＴ係数に基づくことを特徴とする請求項８に記載の方法。
【請求項１０】  前記剰余データがビットプレーン符号化されることを特徴とする請求項４または８に記載の方法。
【請求項１１】  前記第１ビットストリームの前記ベース層部分で送られる前記第１符号化データと、前記第２ビットストリームの前記ベース層部分で送られる前記第２符号化データが、互いに独立に生成されないことを特徴とする請求項６に記載の方法。
【請求項１２】  第１ビットストリームと第２ビットストリームとを切り換えるための方法であって、前記第２ビットストリームが前記第１ビットストリームよりも高速なデータ転送速度を備え、
前記第１ビットストリームと前記第２ビットストリームに関連するスイッチングアップ期間を識別するステップと、
前記第１ビットストリームから前記第２ビットストリームへのスイッチアップに関連する追加のデータを搬送するように構成される第３ビットストリームを前記スイッチングアップ期間中に確立するステップと、
前記スイッチングアップ期間中に、前記第１ビットストリームから前記第２ビットストリームにスイッチアップするステップとを含む方法であって、
前記第１ビットストリームが、ビデオシーケンス内の複数のフレームに関する第１符号化データを含み、該第１符号化データが、前記第１ビットストリームのベース層部分で少なくとも部分的に送られること、
前記第２ビットストリームが、前記ビデオシーケンス内の前記複数のフレームに関する第２符号化データを含み、前記第２符号化データが、前記第２ビットストリームのベース層部分で少なくとも部分的に送られること、
前記第１ビットストリームの前記ベース層部分で送られる前記第１符号化データと、前記第２ビットストリームの前記ベース層部分で送られる前記第２符号化データが、互いに独立に生成されないこと、および
前記第１ビットストリームの前記ベース層部分で送られる前記第１符号化データが、前記第２ビットストリームの前記ベース層部分で送られる前記第２符号化データを少なくとも使用する再構成されたフレームデータに基づくことを特徴とする方法。
【請求項１３】  前記第１ビットストリームの前記ベース層部分で送られる前記第１符号化データが、前記第２ビットストリームの前記ベース層部分で送られる前記第２符号化データを少なくとも使用する前記再構成されたフレームデータと、時間的予測データとの差を表すことを特徴とする請求項１２に記載の方法。
【請求項１４】  前記第１ビットストリームの前記ベース層部分で送られる前記第１符号化データ内の量子化パラメータがさらに、前記第２ビットストリームの前記ベース層部分で送られる前記第２符号化データ内で備えられることを特徴とする請求項１１に記載の方法。
【請求項１５】  前記量子化パラメータを使用して前記第２ビットストリームから前記第１ビットストリームにスイッチダウンするステップをさらに含むことを特徴とする請求項１４に記載の方法。
【請求項１６】  前記量子化パラメータが、フレームレベルおよびマクロブロックレベルを含むグループから選択されたレベルに調節されることを特徴とする請求項１４に記載の方法。
【請求項１７】  前記第２符号化データに関連する動きベクトルデータの少なくとも一部が、前記第１符号化データにも動作可能に関連することを特徴とする請求項１１に記載の方法。
【請求項１８】  前記第１符号化データが、細粒度スケーラブル（ＦＧＳ）コーディング技法、漸進的細粒度スケーラブル（ＰＦＧＳ）コーディング技法、マクロブロックベースＰＦＧＳ（ＭＰＦＧＳ）コーディング技法、ＭＰＥＧコーディング技法、ＳＦフレームコーディング技法、および無損失コーディング技法を含むグループから選択されたコーディング技法を使用して符号化されることを特徴とする請求項６に記載の方法。
【請求項１９】  前記切換えの瞬間の終了前に前記第１符号化データを復号化するステップと、
前記切換えの瞬間の前記終了後に前記第２符号化データを復号化するステップとをさらに含むことを特徴とする請求項６に記載の方法。
【請求項２０】  前記第１符号化データを復号化する前記ステップが、前記第１ビットストリームの前記ベース層部分で送られる前記第１符号化データに基づく、前記フレームの予測および再構成用の低品質基準データを使用することを含むことを特徴とする請求項１９に記載の方法。
【請求項２１】  前記第１符号化データを復号化する前記ステップが、前記第１ビットストリームの前記拡張層部分で送られる前記第１符号化データに基づく、前記フレームの予測および再構成用の高品質基準データを選択的に使用することをさらに含むことを特徴とする請求項２０に記載の方法。
【請求項２２】  前記第２符号化データを復号化する前記ステップが、前記第２ビットストリームの前記ベース層部分で送られる前記第２符号化データに基づく、前記フレームの予測および再構成用の低品質基準データを使用することを含むことを特徴とする請求項１９に記載の方法。
【請求項２３】  前記第２符号化データを復号化する前記ステップが、前記第２ビットストリームの前記拡張層部分で送られる前記第２符号化データに基づく、前記フレームの予測および再構成用の高品質基準データを選択的に使用することを含むことを特徴とする請求項２２に記載の方法。
【請求項２４】  少なくとも１つのビットストリームを受け取ること、
第１ビットストリームと第２ビットストリームを選択的に切り換えることであって、前記第２ビットストリームが前記第１ビットストリームよりも高速のデータ転送速度を備えること、
前記第１ビットストリームと前記第２ビットストリームに関連するスイッチングアップ期間を識別すること、
前記第１ビットストリームから前記第２ビットストリームへのスイッチアップに関連する追加のデータを搬送するように構成される第３ビットストリームを前記スイッチングアップ期間中に確立すること、および
前記スイッチングアップ期間中に、前記第１ビットストリームから前記第２ビットストリームにスイッチアップすることを含む動作を実行するためのコンピュータ実行可能命令を有することを特徴とするコンピュータ可読媒体。
【請求項２５】  前記第１ビットストリームが、ビデオシーケンス内の複数のフレームに関する第１符号化データを含み、前記第１符号化データが、前記第１ビットストリームのベース層部分で少なくとも部分的に送られることを特徴とする請求項２４に記載のコンピュータ可読媒体。
【請求項２６】  前記第１符号化データの部分がさらに、前記第１ビットストリームの拡張層部分で送られることを特徴とする請求項２５に記載のコンピュータ可読媒体。
【請求項２７】  前記第１ビットストリームの前記拡張層部分で送られる前記第１符号化データの前記部分が、前記ベース層部分で送られる前記第１符号化データに関連する剰余データを含むことを特徴とする請求項２６に記載のコンピュータ可読媒体。
【請求項２８】  前記剰余データが、前記ベース層部分で送られる前記第１符号化データに関連する離散コサイン変換（ＤＣＴ）係数および量子化解除ＤＣＴ係数に基づくことを特徴とする請求項２７に記載のコンピュータ可読媒体。
【請求項２９】  前記第２ビットストリームが、前記ビデオシーケンス内の前記複数のフレームに関する第２符号化データを含み、前記第２符号化データが、前記第２ビットストリームのベース層部分で少なくとも部分的に送られることを特徴とする請求項２５に記載のコンピュータ可読媒体。
【請求項３０】  前記第２符号化データの部分がさらに、前記第２ビットストリームの拡張層部分で送られることを特徴とする請求項２９に記載のコンピュータ可読媒体。
【請求項３１】  前記第２ビットストリームの前記拡張層部分で送られる前記第２符号化データの前記部分が、前記ベース層部分で送られる前記第２符号化データに関連する剰余データを含むことを特徴とする請求項３０に記載のコンピュータ可読媒体。
【請求項３２】  前記剰余データが、前記ベース層部分で送られる前記第２符号化データに関連する離散コサイン変換（ＤＣＴ）係数および量子化解除ＤＣＴ係数に基づくことを特徴とする請求項３１に記載のコンピュータ可読媒体。
【請求項３３】  前記剰余データがビットプレーン符号化されることを特徴とする請求項２７または３１に記載のコンピュータ可読媒体。
【請求項３４】  前記第１ビットストリームの前記ベース層部分で送られる前記第１符号化データと、前記第２ビットストリームの前記ベース層部分で送られる前記第２符号化データが、互いに独立に生成されないことを特徴とする請求項２９に記載のコンピュータ可読媒体。
【請求項３５】  少なくとも１つのビットストリームを受け取ること、
第１ビットストリームと第２ビットストリームを選択的に切り換えることであって、前記第２ビットストリームが前記第１ビットストリームよりも高速のデータ転送速度を備えること、
前記第１ビットストリームと前記第２ビットストリームに関連するスイッチングアップ期間を識別すること、
前記第１ビットストリームから前記第２ビットストリームへのスイッチアップに関連する追加のデータを搬送するように構成される第３ビットストリームを前記スイッチングアップ期間中に確立すること、および
前記スイッチングアップ期間中に、前記第１ビットストリームから前記第２ビットストリームにスイッチアップすることを含む動作を実行するためのコンピュータ実行可能命令を有するコンピュータ可読媒体であって、
前記第１ビットストリームが、ビデオシーケンス内の複数のフレームに関する第１符号化データを含み、前記第１符号化データが、前記第１ビットストリームのベース層部分で少なくとも部分的に送られること、
前記第２ビットストリームが、前記ビデオシーケンス内の前記複数のフレームに関する第２符号化データを含み、前記第２符号化データが、前記第２ビットストリームのベース層部分で少なくとも部分的に送られること、
前記第１ビットストリームの前記ベース層部分で送られる前記第１符号化データと、前記第２ビットストリームの前記ベース層部分で送られる前記第２符号化データが、互いに独立に生成されないこと、および
前記第１ビットストリームの前記ベース層部分で送られる前記第１符号化データが、前記第２ビットストリームの前記ベース層部分で送られる前記第２符号化データを少なくとも使用する前記再構成されたフレームデータに基づくことを特徴とするコンピュータ可読媒体。
【請求項３６】  前記第１ビットストリームの前記ベース層部分で送られる前記第１符号化データが、前記第２ビットストリームの前記ベース層部分で送られる前記第２符号化データを少なくとも使用する前記再構成されたフレームデータと、時間的予測データとの差を表すことを特徴とする請求項３５に記載のコンピュータ可読媒体。
【請求項３７】  前記第１ビットストリームの前記ベース層部分で送られる前記第１符号化データ内の量子化パラメータがさらに、前記第２ビットストリームの前記ベース層部分で送られる前記第２符号化データ内で備えられることを特徴とする請求項３４に記載のコンピュータ可読媒体。
【請求項３８】  前記量子化パラメータを使用して前記第２ビットストリームから前記第１ビットストリームにスイッチダウンすることを含む別の動作を実行するためのコンピュータ実行可能命令を有することを特徴とする請求項３７に記載のコンピュータ可読媒体。
【請求項３９】  前記量子化パラメータが、フレームレベルおよびマクロブロックレベルを含むグループから選択されたレベルに調節されることを特徴とする請求項３７に記載のコンピュータ可読媒体。
【請求項４０】  前記第２符号化データに関連する動きベクトルデータの少なくとも一部が、前記第１符号化データにも動作可能に関連することを特徴とする請求項３４に記載のコンピュータ可読媒体。
【請求項４１】  前記第１符号化データが、細粒度スケーラブル（ＦＧＳ）コーディング技法、漸進的細粒度スケーラブル（ＰＦＧＳ）コーディング技法、マクロブロックベースＰＦＧＳ（ＭＰＦＧＳ）コーディング技法、ＭＰＥＧコーディング技法、ＳＦフレームコーディング技法、および無損失コーディング技法を含むグループから選択されたコーディング技法を使用して符号化されることを特徴とする請求項２９に記載のコンピュータ可読媒体。
【請求項４２】  前記切換えの瞬間の終了前に前記第１符号化データを復号化すること、および
前記切換えの瞬間の前記終了後に前記第２符号化データを復号化することを含む別の動作を実行するためのコンピュータ実行可能命令を有することを特徴とする請求項２９に記載のコンピュータ可読媒体。
【請求項４３】  前記第１符号化データを復号化することが、前記第１ビットストリームの前記ベース層部分で送られる前記第１符号化データに基づく、前記フレームの予測および再構成用の低品質基準データを使用することを含むことを特徴とする請求項４２に記載のコンピュータ可読媒体。
【請求項４４】  前記第１符号化データを復号化することが、前記第１ビットストリームの前記拡張層部分で送られる前記第１符号化データに基づく、前記フレームの予測および再構成用の高品質基準データを選択的に使用することをさらに含むことを特徴とする請求項４３に記載のコンピュータ可読媒体。
【請求項４５】  前記第２符号化データを復号化することが、前記第２ビットストリームの前記ベース層部分で送られる前記第２符号化データに基づく、前記フレームの予測および再構成用の低品質基準データを使用することを含むことを特徴とする請求項４２に記載のコンピュータ可読媒体。
【請求項４６】  前記第２符号化データを復号化することが、前記第２ビットストリームの前記拡張層部分で送られる前記第２符号化データに基づく、前記フレームの予測および再構成用の高品質基準データを選択的に使用することを含むことを特徴とする請求項４５に記載のコンピュータ可読媒体。
【請求項４７】  第１ビットストリームと第２ビットストリームを切り換えるのに適した装置であって、前記第２ビットストリームが前記第１ビットストリームよりも高速なデータ転送速度を備え、
前記第１ビットストリームおよび前記第２ビットストリームを選択的に受け取るように構成可能なインターフェースと、
前記インターフェースに動作可能に結合され、前記第１ビットストリームおよび第２ビットストリームに関連するスイッチングアップ期間を決定するように構成され、前記スイッチングアップ期間中に前記インターフェースに第３ビットストリームをサポートさせる論理機構であって、前記第３ビットストリームが、前記第１ビットストリームから前記第２ビットストリームへのスイッチアップに関連する追加のデータを搬送するように構成され、かつ前記スイッチアップの結果として、前記インターフェースに、前記第１ビットストリームの受諾から前記第２ビットストリームの受諾にスイッチアップさせる論理機構とを備えることを特徴とする装置。
【請求項４８】  前記第１ビットストリームが、ビデオシーケンス内の複数のフレームに関する第１符号化データを含み、前記第１符号化データが、前記第１ビットストリームのベース層部分で少なくとも部分的に受諾されることを特徴とする請求項４７に記載の装置。
【請求項４９】  前記第１符号化データの部分がさらに、前記第１ビットストリームの拡張層部分で受諾されることを特徴とする請求項４８に記載の装置。
【請求項５０】  前記第１ビットストリームの前記拡張層部分で受諾される前記第１符号化データの前記部分が、前記ベース層部分で受諾される前記第１符号化データに関連する剰余データを含むことを特徴とする請求項４９に記載の装置。
【請求項５１】  前記剰余データが、前記ベース層部分で受諾される前記第１符号化データに関連する離散コサイン変換（ＤＣＴ）係数および量子化解除ＤＣＴ係数に基づくことを特徴とする請求項５０に記載の装置。
【請求項５２】  前記第２ビットストリームが、前記ビデオシーケンス内の前記複数のフレームに関する第２符号化データを含み、前記第２符号化データが、前記第２ビットストリームのベース層部分で少なくとも部分的に受諾されることを特徴とする請求項４８に記載の装置。
【請求項５３】  前記第２符号化データの部分がさらに、前記第２ビットストリームの拡張層部分で受諾されることを特徴とする請求項５２に記載の装置。
【請求項５４】  前記第２ビットストリームの前記拡張層部分で受諾される前記第２符号化データの前記部分が、前記ベース層部分で受諾される前記第２符号化データに関連する剰余データを含むことを特徴とする請求項５３に記載の装置。
【請求項５５】  前記第１ビットストリームの前記ベース層部分で受諾される前記第１符号化データと、前記第２ビットストリームの前記ベース層部分で受諾される前記第２符号化データが、互いに独立に生成されないことを特徴とする請求項５２に記載の装置。
【請求項５６】  第１ビットストリームと第２ビットストリームを切り換えるのに適した装置であって、前記第２ビットストリームが前記第１ビットストリームよりも高速なデータ転送速度を備え、
前記第１ビットストリームおよび前記第２ビットストリームを選択的に受け取るように構成可能なインターフェースと、
前記インターフェースに動作可能に結合され、前記第１ビットストリームおよび第２ビットストリームに関連するスイッチングアップ期間を決定するように構成され、前記スイッチングアップ期間中に前記インターフェースに第３ビットストリームをサポートさせる論理機構であって、前記第３ビットストリームが、前記第１ビットストリームから前記第２ビットストリームへのスイッチアップに関連する追加のデータを搬送するように構成され、かつ前記スイッチアップの結果として、前記インターフェースに、前記第１ビットストリームの受諾から前記第２ビットストリームの受諾にスイッチアップさせる論理機構とを備える装置であって、
前記第１ビットストリームが、ビデオシーケンス内の複数のフレームに関する第１符号化データを含み、前記第１符号化データが、前記第１ビットストリームのベース層部分で少なくとも部分的に受諾されること、
前記第２ビットストリームが、前記ビデオシーケンス内の前記複数のフレームに関する第２符号化データを含み、前記第２符号化データが、前記第２ビットストリームのベース層部分で少なくとも部分的に受諾されること、
前記第１ビットストリームの前記ベース層部分で受諾される前記第１符号化データと、前記第２ビットストリームの前記ベース層部分で受諾される前記第２符号化データが、互いに独立に生成されないこと、および
前記第１ビットストリームの前記ベース層部分で受諾される前記第１符号化データが、前記第２ビットストリームの前記ベース層部分で受諾される前記第２符号化データを少なくとも使用する再構成されたフレームデータに基づくことを特徴とする装置。
【請求項５７】  前記第１ビットストリームの前記ベース層部分で受諾される前記第１符号化データが、前記第２ビットストリームの前記ベース層部分で受諾される前記第２符号化データを少なくとも使用する前記再構成されたフレームデータと、時間的予測データとの差を表すことを特徴とする請求項５６に記載の装置。
【請求項５８】  前記第１ビットストリームの前記ベース層部分で受諾される前記第１符号化データ内の量子化パラメータがさらに、前記第２ビットストリームの前記ベース層部分で受諾される前記第２符号化データ内で備えられることを特徴とする請求項５５に記載の装置。
【請求項５９】  前記論理機構がさらに、前記切換えの瞬間の終了前に前記第１符号化データを復号化し、かつ
前記切換えの瞬間の前記終了後に前記第２符号化データを復号化するように構成されることを特徴とする請求項５２に記載の装置。
【請求項６０】  前記論理機構が前記第１符号化データを復号化することが、前記第１ビットストリームの前記ベース層部分で受諾される前記第１符号化データに基づく、前記フレームの予測および再構成用の低品質基準データを使用することを含むことを特徴とする請求項５９に記載の装置。
【請求項６１】  前記論理機構が前記第１符号化データを復号化することが、前記第１ビットストリームの前記拡張層部分で受諾される前記第１符号化データに基づく、前記フレームの予測および再構成用の高品質基準データを選択的に使用することをさらに含むことを特徴とする請求項６０に記載の装置。
【請求項６２】  前記論理機構が前記第２符号化データを復号化することが
、前記第２ビットストリームの前記ベース層部分で受諾される前記第２符号化データに基づく、前記フレームの予測および再構成用の低品質基準データを使用することを含むことを特徴とする請求項５９に記載の装置。
【請求項６３】  前記論理機構が前記第２符号化データを復号化することが、前記第２ビットストリームの前記拡張層部分で受諾される前記第２符号化データに基づく、前記フレームの予測および再構成用の高品質基準データを選択的に使用することを含むことを特徴とする請求項６２に記載の装置。
【請求項６４】  第１ビットストリームと第２ビットストリームを符号化するのに適した装置であって、前記第２ビットストリームが前記第１ビットストリームよりも高速なデータ転送速度を備え、
前記第１ビットストリームおよび前記第２ビットストリームを選択的に出力するように構成可能なインターフェースと、
前記インターフェースに動作可能に結合された論理機構と前記第１ビットストリーム内のビデオシーケンスの複数のフレームを、前記第１ビットストリームのベース層部分内の前記インターフェースによって少なくとも部分的に伝送可能な第１符号化データとして、かつ前記第２ビットストリーム内の前記ビデオシーケンスの前記複数のフレームを、前記第２ビットストリームのベース層部分内の前記インターフェースによって少なくとも部分的に伝送可能な第２符号化データとして選択的に符号化するように構成された論理機構とを備え、
前記論理機構が、前記第１ビットストリームおよび前記第２ビットストリームに関連する、複数の時間的に間隔を置いて配置されたスイッチングアップ期間を確立し、前記スイッチングアップ期間中に、前記論理機構が第３ビットストリームをインターフェースに出力させ、前記第３ビットストリームが、前記第１ビットストリームから前記第２ビットストリームへのスイッチアップに関連する追加のデータを搬送するように構成されることを特徴とする装置。
【請求項６５】  前記第１符号化データの部分がさらに、前記第１ビットストリームの拡張層部分で出力されることを特徴とする請求項６４に記載の装置。
【請求項６６】  前記第１ビットストリームの前記拡張層部分で出力される前記第１符号化データの前記部分が、前記ベース層部分で受諾される前記第１符号化データに関連する剰余データを含むことを特徴とする請求項６５に記載の装置。
【請求項６７】  前記剰余データが、前記ベース層部分で出力される前記第１符号化データに関連する離散コサイン変換（ＤＣＴ）係数および量子化解除ＤＣＴ係数に基づくことを特徴とする請求項６６に記載の装置。
【請求項６８】  前記第２ビットストリームが、前記ビデオシーケンス内の前記複数のフレームに関する第２符号化データを含み、前記第２符号化データが、前記第２ビットストリームのベース層部分で少なくとも部分的に受諾されることを特徴とする請求項６４に記載の装置。
【請求項６９】  前記第２符号化データの部分がさらに、前記第２ビットストリームの拡張層部分で出力されることを特徴とする請求項６８に記載の装置。
【請求項７０】  前記第２ビットストリームの前記拡張層部分で出力される前記第２符号化データの前記部分が、前記ベース層部分で受諾される前記第２符号化データに関連する剰余データを含むことを特徴とする請求項６９に記載の装置。
【請求項７１】  前記剰余データが、前記ベース層部分で受諾される前記第２符号化データに関連する離散コサイン変換（ＤＣＴ）係数および量子化解除ＤＣＴ係数に基づくことを特徴とする請求項５４または７０に記載の装置。
【請求項７２】  前記剰余データがビットプレーン符号化されることを特徴とする請求項５０，５４，６６、および７０のいずれかの項に記載の装置。
【請求項７３】  前記第１ビットストリームの前記ベース層部分で出力される前記第１符号化データと、前記第２ビットストリームの前記ベース層部分で出力される前記第２符号化データが、互いに独立に生成されないことを特徴とする請求項６８に記載の装置。
【請求項７４】  第１ビットストリームと第２ビットストリームを符号化するのに適した装置であって、前記第２ビットストリームが前記第１ビットストリームよりも高速なデータ転送速度を備え、
前記第１ビットストリームおよび前記第２ビットストリームを選択的に出力するように構成可能なインターフェースと、
前記インターフェースに動作可能に結合された論理機構と前記第１ビットストリーム内のビデオシーケンスの複数のフレームを、前記第１ビットストリームのベース層部分内の前記インターフェースによって少なくとも部分的に伝送可能な第１符号化データとして、かつ前記第２ビットストリーム内の前記ビデオシーケンスの前記複数のフレームを、前記第２ビットストリームのベース層部分内の前記インターフェースによって少なくとも部分的に伝送可能な第２符号化データとして選択的に符号化するように構成された論理機構とを備え、
前記論理機構が、前記第１ビットストリームおよび前記第２ビットストリームに関連する、複数の時間的に間隔を置いて配置されたスイッチングアップ期間を確立し、前記スイッチングアップ期間中に、前記論理機構が第３ビットストリームをインターフェースに出力させ、前記第３ビットストリームが、前記第１ビットストリームから前記第２ビットストリームへのスイッチアップに関連する追加のデータを搬送するように構成される装置であって、
前記第２ビットストリームが、前記ビデオシーケンス内の前記複数のフレームに関する第２符号化データを含み、前記第２符号化データが、前記第２ビットストリームのベース層部分で少なくとも部分的に受諾されること、
前記第１ビットストリームの前記ベース層部分で出力される前記第１符号化データと、前記第２ビットストリームの前記ベース層部分で出力される前記第２符号化データが、互いに独立に生成されないこと、および
前記第１ビットストリームの前記ベース層部分で出力される前記第１符号化データが、前記第２ビットストリームの前記ベース層部分で受諾される前記第２符号化データを少なくとも使用する再構成されたフレームデータに基づくことを特徴とする装置。
【請求項７５】  前記第１ビットストリームの前記ベース層部分で出力される前記第１符号化データが、前記第２ビットストリームの前記ベース層部分で受諾される前記第２符号化データを少なくとも使用する前記再構成されたフレームデータと、時間的予測データとの差を表すことを特徴とする請求項７４に記載の装置。
【請求項７６】  前記第１ビットストリームの前記ベース層部分で出力される前記第１符号化データ内の量子化パラメータがさらに、前記第２ビットストリームの前記ベース層部分で受諾される前記第２符号化データ内で出力されることを特徴とする請求項７３に記載の装置。
【請求項７７】  前記量子化パラメータを使用する前記論理機構がさらに、前記インターフェースに、前記第２ビットストリームから前記第１ビットストリームにスイッチダウンさせるように構成されることを特徴とする請求項５８または７６に記載の装置。
【請求項７８】  前記量子化パラメータが、フレームレベルおよびマクロブロックレベルを含むグループから選択されたレベルに調節されることを特徴とする請求項５８または７６に記載の装置。
【請求項７９】  前記第２符号化データに関連する動きベクトルデータの少なくとも一部が、前記第１符号化データにも動作可能に関連することを特徴とする請求項５５または７３に記載の装置。
【請求項８０】  前記第１符号化データが、細粒度スケーラブル（ＦＧＳ）コーディング技法、漸進的細粒度スケーラブル（ＰＦＧＳ）コーディング技法、マクロブロックベースＰＦＧＳ（ＭＰＦＧＳ）コーディング技法、ＭＰＥＧコーディング技法、ＳＦフレームコーディング技法、および無損失コーディング技法を含むグループから選択されたコーディング技法を使用して符号化されることを特徴とする請求項５２または６８に記載の装置。
【請求項８１】  前記論理機構に動作可能に結合され、前記論理機構に関連するデータを格納するように構成されたメモリをさらに備えることを特徴とする請求項６８に記載の装置。
【請求項８２】  前記第１符号化データが、前記第１ビットストリームの前記ベース層部分で出力される前記第１符号化データ内の前記フレームの予測および再構成用の低品質基準データを備えることを含むことを特徴とする請求項６８に記載の装置。
【請求項８３】  前記第１符号化データが、前記第１ビットストリームの前記拡張層部分で出力される前記第１符号化データ内の前記フレームの予測および再構成用の選択的に使用可能な高品質基準データをさらに含むことを特徴とする請求項８２に記載の装置。
【請求項８４】  前記第２符号化データが、前記第２ビットストリームの前記ベース層部分で出力される前記第２符号化データ内の前記フレームの予測および再構成用の低品質基準データを含むことを特徴とする請求項８１に記載の装置。
【請求項８５】  前記第２符号化データが、前記第２ビットストリームの前記拡張層部分で出力される前記第２符号化データに基づく、前記フレームの予測および再構成用の選択的に使用可能な高品質基準データをさらに含むことを特徴とする請求項８２に記載の装置。